(57)【要約】 【課題】  コードを種々の導出方向に変化させることが容易で、コードの断線を防止する。【解決手段】  絶縁性基部１３は、導電性接続部９の一部を覆って一方の端部で支持するとともに導電性接続部９に接続されたコード１１を他方の端部から導出させる。回転筒体２１は、コード１１が遊びをもって挿通され絶縁性基部１３に回転可能に嵌められる。絶縁性基部１３は、他方の端部に斜面１５を有し、この斜面１５からコード１１を導出させる。回転筒体２１は、斜めの端面２５を有し、斜面１５と端面２５を当接するようにして回転可能に嵌められる。【選択図】  図１
2010108634.tif 000002
【特許請求の範囲】
【請求項１】
電子機器の被接続部に接続される導電性接続部の一部を覆ってこれを一方の端部で支持するとともに前記導電性接続部に接続されたコードを他方の端部から導出させた柱状の絶縁性基部と、
導出された前記コードが遊びをもって挿通され前記絶縁性基部に回転可能に嵌められた回転筒体と、
を具備し、
前記絶縁性基部は、前記他方の端部に当該絶縁性基部の中心軸に対して鋭角の斜面が形成され、この斜面から前記コードを導出させ、前記回転筒体は、前記斜面に当接して当該コードの導出軸で回転可能に嵌められるとともに、特定位置において前記中心軸に対して前記斜面より大きな角度で前記コードを導出する形状を有することを特徴とするコード付き接続具。
【請求項２】
前記絶縁性基部は、前記中心軸に対して約４５°斜めに形成された前記斜面を有し、前記回転筒体は、前記絶縁性基部の前記中心軸に対して約９０°の角度で前記コードを導出するよう形成された請求項１記載のコード付き接続具。
【請求項３】
前記絶縁性基部は、前記コードを囲んで前記斜面から突設された嵌合部を有し、前記回転筒体は、前記嵌合部に係合して回転する係合部を有する請求項１又は２記載のコード付き接続具。
【請求項４】
前記回転筒体は、前記係合部が前記絶縁性基部より軟らかい可撓性材料で成形された請求項１〜３いずれか１記載のコード付き接続具。
【請求項５】
前記絶縁性基部は、前記嵌合部又はこの近傍に前記コードを囲んで凹凸部を有し、前記回転筒体は、前記凹凸部に嵌る凸凹部を有する請求項１〜４いずれか１記載のコード付き接続具。
【発明の詳細な説明】
【技術分野】
【０００１】
本発明はコード付き接続具に係り、例えば携帯用のオーディオ機器に使用するヘッドホン、マイクロホン等の接続コードと当該オーディオ機器その他に接続するコード付きプラグ等のコード付き接続具の改良に関する。
【背景技術】
【０００２】
携帯用のオーディオ機器に使用するヘッドホンから延びる接続コードと当該オーディオ機器を接続するコード付きプラグとしては、例えば図７に示すような構成が良く知られている。
【０００３】
すなわち、このようなコード付きプラグは、細長いプラグ部１の一端に絶縁被覆コード３を半田付け接続し、プラグ部１とコード３の接続部を絶縁性合成樹脂で成型して絶縁性基部５を形成し、プラグ部１の長手方向に対して横方向に絶縁性基部５から導出したコード３および絶縁性基部５の各外周を可撓性の絶縁性合成樹脂からなるプラグキャップ７で覆ってなるＬ形構成を有している。
【０００４】
他方、図示はしないが、絶縁性基部においてプラグ部とは反対側の端部からコードを導出し、コードおよび絶縁性基部の外周をプラグキャップで覆ってなるストレート形構成を有するものも提供されている。
【０００５】
そして、使用する電子機器の形態に応じてＬ形構成とストレート形構成とが使い分けられており、特に携帯型小型音響機器については、機器の形状又はジャックの取り付けられる位置等にもよるが、最近の傾向としてストレート形構成のコード付きプラグが多用されている。
【０００６】
また、最近の音響機器およびヘッドホンの小型化により、使用しない時はコード付きプラグのコード３を音響機器本体に巻きつけることも多く、ストレート形構成のコード付きプラグの場合にはコード３をほぼ３６０°折り返して巻きつけるため、コード３に対するストレスが大きいうえ、絶縁性基部５部分が出っ張るためプラグ部１、絶縁性基部５、コード３にストレスがかかり易いとか、出っ張った部分が保管に邪魔になり易い。
【０００７】
そこで、例えば実開昭６０−３５７５号公報（特許文献１）の接続器が提案されている。
【０００８】
この特許文献１は、接続器本体と、この接続器本体に支持されコードが接続される導電部材と、一端が接続器本体に回転自在に軸着され他端が接続器本体から突出してその接続器本体に対し所定角度範囲で起伏可動するコード支持部材と、そのコード支持部材に一端から他端に通じるコード挿通孔を設け、そのコード挿通孔にコードを挿入して導電部材に接続した構成を有し、コード引き出し側の根元部分が回転軸となってコード側を可動させることにより、コードの断線を防止するとともに、配置位置の制約を低減させたものである。
【０００９】
また、特開２００３−１８７９２７号公報（特許文献２）のプラグも提案されている。
【００１０】
この特許文献２は、プラグ端子と、このプラグ端子の基端部に当該プラグ端子の中心線に対して所定の角度で接続された配線コードと、そのプラグ端子の中心線に対して配線コードの引き出し方向が略平行となる第１の状態と、そのプラグ端子の中心線に対して配線コードの引き出し方向が所定の角度となる第２の状態とを切替える切替手段とを備え、配線コードをプラグ端子の中心線に平行な方向と略９０°方向とに切替え可能にしたものである。
【特許文献１】実開昭６０−３５７５号公報
【特許文献２】特開２００３−１８７９２７号公報
【発明の開示】
【発明が解決しようとする課題】
【００１１】
しかしながら、上述した特許文献１、２の構成では、コードの引き出し方向を可変するために、接続器本体内部や支持部内部にコード支持部や回転部が収まって変位するためのある程度の空間を必要とし、接続器本体や支持部が大型化し易くて小型化に適さないうえ、変位の繰り返しによって配線コードにストレスがかかって断線を生じ易い難点がある。
【００１２】
さらに、最近の音響機器およびヘッドホン等は、種々の形状のものが提供され、使用時又は収納時等、種々の使用場面で対応できるようにストレート形構成とＬ形構成が簡単に切り換えられる形態のニーズが高まっている。
【００１３】
本発明はそのような課題を解決するためになされたもので、コードを種々の導出方向に変化させることが容易で、コードの断線も少なく、小型化も可能なコード付き接続具の提供を目的とする。
【課題を解決するための手段】
【００１４】
そのような課題を解決するために本発明に係るコード付き接続具は、電子機器の被接続部に接続される導電性接続部の一部を覆ってこれを一方の端部で支持するとともにその導電性接続部に接続されたコードを他方の端部から導出させた柱状の絶縁性基部と、導出されたコードが遊びをもって挿通されその絶縁性基部に回転可能に嵌められた回転筒体と、を具備し、上記絶縁性基部は、他方の端部に当該絶縁性基部の中心軸に対して鋭角の斜面が形成され、この斜面からそのコードを導出させ、上記回転筒体は、その斜面に当接して当該コードの導出軸で回転可能に嵌められるとともに、特定位置において中心軸に対してその斜面より大きな角度でそのコードを導出する形状を有している。
【００１５】
本発明のコード付き接続具は、上記絶縁性基部が、その中心軸に対して約４５°斜めに形成されたその斜面を有し、上記回転筒体が、その絶縁性基部の中心軸に対して約９０°の角度でそのコードを導出するよう形成された構成も可能である。
【００１６】
本発明のコード付き接続具は、上記絶縁性基部が、そのコードを囲んでその斜面から突設された嵌合部を有し、上記回転筒体が、その嵌合部に係合して回転する係合部を有する構成も可能である。
【００１７】
本発明のコード付き接続具は、上記回転筒体が、その嵌合部に係合する係合部としての絶縁性基部より軟らかい可撓性材料で成形された構成も可能である。
【００１８】
本発明のコード付き接続具は、上記絶縁性基部が、その嵌合部又はこの近傍にそのコードを囲んで凹凸部を有し、上記回転筒体が、その記凹凸部に嵌る凸凹部を有する構成も可能である。
【発明の効果】
【００１９】
このような本発明に係るコード付き接続具では、導電性接続部の一部を一方の端部で支持する絶縁性基部において、他方の端部に当該絶縁性基部の中心軸に対して鋭角で形成された斜面からコードを導出し、そのコードを遊びをもって挿通した回転筒体が絶縁性基部に回転可能に嵌められ、その回転筒体が特定位置にてその中心軸に対してその斜面より大きな角度でコードを導出する形状になっているから、回転筒体が特定位置にあるときと、特定位置から回転筒体を回転させたときで、コードが種々の方向に導出可能となり、コードを種々の導出方向に変化させることが可能で、コードの断線も少なく、小型化も容易となる。
【００２０】
本発明のコード付き接続具では、上記絶縁性基部がその中心軸に対して約４５°斜めに形成された斜面を有し、上記回転筒体がその絶縁性基部の中心軸に対して約９０°の角度でそのコードを導出するよう形成された構成を有するから、回転筒体が特定位置にあるとき、コードが絶縁性基部の中心軸に対して９０°横方向から導出され、その特定位置から１８０°回転筒体が回転すると、コードがその中心軸に沿って導出可能となる。
【００２１】
本発明のコード付き接続具では、上記絶縁性基部がそのコードを囲んで斜面から突設された嵌合部を有し、上記回転筒体がその嵌合部に係合して回転する係合部を有するから、回転筒体を回転可能の状態で絶縁性基部に嵌め込み易く、組み立ても簡単である。
【００２２】
本発明のコード付き接続具では、上記回転筒体がその嵌合部に係合する係合部として絶縁性基部より軟らかい可撓性材料で成形された構成を有するから、回転筒体を絶縁性基部により一層嵌め込み易く、組み立てが簡単である。
【００２３】
本発明のコード付き接続具では、上記絶縁性基部がその嵌合部又はこの近傍にコードを囲んで凹凸部を有し、上記回転筒体がその凹凸部に嵌る凸凹部を有するから、上記回転筒体がコードの導出軸に対して凹凸部の形成位置で仮固定可能である。
【発明を実施するための最良の形態】
【００２４】
以下、本発明に係るコード付き接続具の実施の形態を図面を参照して説明する。
【００２５】
図１は本発明に係るコード付き接続具の実施の一形態をコード付きプラグを例にして示す正面図である。
【００２６】
図１において、プラグ部９は、一方の先端部（図中下端部）から導電性の第１の接続部９ａ、第２の接続部９ｂおよび第３の接続部９ｃを有し、それら第１、第２の接続部９ａ、９ｂが絶縁された状態でその第３の接続部９ｃに支持されるとともに、円筒状の第３の接続部９ｃの中空部内をそれら第１、第２の接続部９ａ、９ｂが互いに非接触又は絶縁された状態でその基部（図中上部）まで延び、独立した端子（図示省略）に接続され、導電性接続部を形成している。なお、第２の接続部９ｂが省略される構成もある。
【００２７】
このプラグ部９は、図示しない電子機器、例えば携帯用のオーディオ機器のジャック（被接続部）にはめ込んで接続、使用される。
【００２８】
プラグ部９のその図示しない端子には、絶縁被覆されたコード１１の２本の芯線や被覆導線が半田付け等公知の手法によって接続され、コード１１が第１〜第３の接続部９ａ〜９ｃに電気的に接続されている。
【００２９】
このプラグ部９自体の構成およびコード１１との接続構成は、従来公知のごく一般的なものであるから、詳細な図示は省略する。
【００３０】
このプラグ部９の他方の先端部側（図中上端部）は、例えばポリプロピレン等の絶縁性合成樹脂によってコード１１自体およびその接続部を覆ってインサート射出成形され、円柱状の絶縁性基部１３が形成されており、絶縁性基部１３の一方の端部（図中下端部）からプラグ部９が突出している。
【００３１】
絶縁性基部１３の他方の端部（図中上端部）は、この縦軸（中心軸Ｘ）に対して約４５°の鋭角で斜め上方に向けた斜面１５となっており、図２に示すように、この斜面１５の中央部からコード１１が斜め上方に向けて導出されている。
【００３２】
すなわち、コード１１が絶縁性基部１３の他方の端部にて中心軸Ｘに対して約１３５°の角度で斜め上方に向けて導出されている（後述する図４参照）。
【００３３】
絶縁性基部１３において、コード１１を覆うように囲んで斜面１５から円柱状の突出部１７が一体的に突設されており、突出部１７の先端外周にはそれより大径の嵌合部１９が先細りに形成されている。
【００３４】
回転筒体２１は、公知の合成樹脂、例えば軟質ポリ塩化ビニル樹脂からコード１１の外径寸法より十分大きな内径の中空部２３を有して筒形に成形加工されてなり、コード１１が遊びをもって挿通され、絶縁性基部１３に回転可能に嵌められている。
【００３５】
回転筒体２１は、図１および図３Ａに示すように、一方の端面側（図１中左側）が回転筒体２１の中心軸Ｙに対して４５°の角度を有し、絶縁性基部１３の斜面１５と同形状の端面２５になっており、その端面２５に臨む中空部２３に、絶縁性基部１３の嵌合部１９に係合してこれを挟持する係合部２７が一体的に内設されている。
【００３６】
回転筒体２１は、例えば図４に示すように、絶縁性基部１３の上側にこれに平行位置に置き、端面２５側から中空部２３にコード１１を遊びをもって挿通し、係合部２７を若干拡開させるようにして係合部２７を嵌合部１９に係合して斜面１５に端面２５を当接させると、係合部２７が嵌合部１９を挟持状態になるとともに、転筒体１９が絶縁性基部１３に対し、コード１１の導出軸Ｚを中心にして回転可能になる。
【００３７】
図１は、図４の状態から転筒体１９を１８０°回転させた状態を示しており、回転筒体２１は絶縁性基部１３の中心軸Ｘに対して約９０°の角度でコード１３が導出されている。この図１の状態を本発明において「特定位置」として説明する。
【００３８】
なお、回転筒体２１の中空部２３にはコード１１が遊びをもって挿通されているから、転筒体１９の回転によってコード１１にストレスが加わり難く、コード１１が損傷を受け難い。
【００３９】
次に、本発明のコード付き接続具の使用例を簡単に説明する。
【００４０】
上述した図４のように、回転筒体２１を絶縁性基部１３の上側にてこれに平行位置に置き、端面２５側から中空部２３にコード１１を遊びをもって挿通し、係合部２７を絶縁性基部１３の嵌合部１９に係合して斜面１５に端面２５を当接させると、図５に示すような全体形状が得られる。
【００４１】
絶縁性基部１３の斜面１５は中心軸Ｘに対して４５°になっており、回転筒体２１を端面２５も中心軸Ｘに対して４５°になっており、斜面１５に端面２５が当接された状態では、僅かに屈曲してはいるものの、絶縁性基部１３と回転筒体２１とがほぼ直線状のストレート形構成となる。
【００４２】
そして、図４の状態から転筒体１９を１８０°回転させて「特定位置」に移動させると、図１に示したように、回転筒体２１およびコード１１が絶縁性基部１３の中心軸Ｘに対して約９０°の角度で横方向に導出された状態になってＬ形構成となる。
【００４３】
しかも、ストレート形構成からＬ形構成の間、すなわち図４と図１との間では、上方向から横９０°方向間の任意方向構成が得られる。
【００４４】
このように、本発明のコード付き接続具は、電子機器の被接続部に接続されるプラグ部（導電性接続部）９の一部を覆ってこれを一方の端部で支持するとともにプラグ部９に接続されたコード１１を他方の端部から導出させた絶縁性基部１３と、そのコード１１が遊びをもって挿通され絶縁性基部１３に回転可能に嵌められた回転筒体２１とを具備し、その絶縁性基部１３は、他方の端部に当該絶縁性基部１３の中心軸Ｘに対して４５°の斜面１５を有し、この斜面１５からコード１１を導出させ、その回転筒体２１は、当該中心軸Ｙに対して４５°の端面２５を有し、それら斜面１５と端面２５を当接するようにして回転可能に嵌められて構成されている。
【００４５】
そのため、絶縁性基部１３に対して回転筒体２１を回転させて「特定位置」に移動させると、回転筒体２１およびコード１１が絶縁性基部１３の中心軸Ｘに対して約９０°の角度で横方向に導出されたＬ形構成となり、「特定位置」から回転筒体２１を１８０°回転させると、ほぼ直線状のストレート形構成となり、ストレート形構成からＬ形構成の間では、上方向から横９０°方向間で任意方向構成が得られる。
【００４６】
これにより、コード１１を種々の導出方向に変化させることが容易となるうえ、絶縁性基部１３に支持されたコード１１に対して回転筒体２１がストレスを与え難いから、コード１１の断線も少ないし、小型化も可能になる。
【００４７】
しかも、絶縁性基部１３がコード１１を囲む嵌合部１９を有し、回転筒体２１がその嵌合部１９に係合して回転する係合部２７を有するから、回転筒体２１を絶縁性基部１３に嵌め込み易く、組み立てが簡単である。
【００４８】
また、本発明のコード付き接続具は、絶縁性基部１３がその中心軸Ｘに対して約４５°斜めに形成されたその斜面１５を有し、回転筒体２１がその中心軸Ｙに対して約４５°の角度で端面２５を有する構成であったが、本発明はこれに限定されない。
【００４９】
例えば、絶縁性基部１３は、他方の端部に当該絶縁性基部１３の中心軸Ｘに対して鋭角の斜面１５を有し、回転筒体２１は、絶縁性基部１３の斜面１５に当接してコード１１の導出軸Ｚで回転可能に嵌められるとともに、特定位置において中心軸Ｘに対してその斜面１５より大きな角度でそのコード１１を導出する形状にすれば、本発明の目的達成が可能である。
【００５０】
ところで、本発明のコード付き接続具は、回転筒体２１において、例えば図３Ｂに示すように、絶縁性基部１３に形成した嵌合部１９に係合する係合部２７ａがその絶縁性基部１３より軟らかい可撓性材料、例えばシリコンゴムやニトリルブタシエンゴム等の樹脂で成形すれば、回転筒体２１を絶縁性基部により一層嵌め込み易く、組み立てが簡単である。
【００５１】
なお、可撓性材料からなる係合部２７ａは、絶縁性基部１３の当接する回転筒体２１の内壁のみに形成する構成も可能である。
【００５２】
さらに、本発明のコード付き接続具は、図６に示すように、絶縁性基部１３の嵌合部１９又はこの近傍にそのコード１１を囲んで凸部２９を複数個形成する一方、回転筒体２１にはその凸部２７に嵌る凹部３１を同数形成すると、回転筒体２１の回転途中で凸部２９と凹部３１が嵌って回転筒体２１が一時的に仮固定可能となり、種々の固定方向にコード１１を導出可能である。
【００５３】
なお、絶縁性基部１３に形成する凸部２９は凹部であっても良く、回転筒体２１に形成する凹部３１はそれに嵌る凸部であっても良いうえ、半球状や筋状の凹凸部であっても良い。要は、互いに嵌る凸凹部や凹凸部を設ければ良い。
【００５４】
上述した実施の形態では一例としてコード付きプラグを例にして説明したが、本発明ではコード付きジャックにおいても実施可能であるし、種々のコード付き接続具において実施可能である。
【図面の簡単な説明】
【００５５】
【図１】本発明に係るコード付き接続具の実施の形態を示す主面図（一部側面で示す。）である。
【図２】本発明に係るコード付き接続具の絶縁性基部を示す正面図である。
【図３】本発明に係るコード付き接続具の回転筒体を示す断面図である。
【図４】本発明に係るコード付き接続具の組み立て過程を示す正面図（一部断面で示す。）である。
【図５】本発明に係るコード付き接続具の使用態様を示す正面図である。
【図６】本発明に係るコード付き接続具の他の実施の態様を示す要部正面図（一部断面で示す。）である。
【図７】従来のコード付き接続具を示す断面図（一部側面で示す。）である。
【符号の説明】
【００５６】
１、９  プラグ部（導電性接続部）
３、１１  コード
５、１３  絶縁性基部
７  プラグキャップ
９ａ  第１の接続部
９ｂ  第２の接続部
９ｃ  第３の接続部
１５  斜面
１７  突出部
１９  嵌合部
２１  回転筒体
２３  中空部
２５  端面
２７、２７ａ  係合部
２９  凸部（凹凸部）
３１  凹部（凸凹部）
【図１】
2010108634.tif 000003
【図２】
2010108634.tif 000004
【図３】
2010108634.tif 000005
【図４】
2010108634.tif 000006
【図５】
2010108634.tif 000007
【図６】
2010108634.tif 000008
【図７】
2010108634.tif 000009